(57)【特許請求の範囲】
【請求項１】
一部に開口を有する容器形態の主体部材と、
その主体部材に固着した把手部材と、
前記主体部材の開口を塞ぐ蓋部材と、
その蓋部材に固着した握り部と、からなり、
前記蓋部材を主体部材に対して回動自在且つ着脱自在に取り付け、もって分離させた蓋部材をシャベル形態で使用可能となし、さらに主体部材に弾性体を取り付けると共に蓋部材の握り部に作動片を形成し、弾性体を作動片に接触させてその弾性体の押圧力により蓋部材で主体部材の開口を塞ぐようにしたことを特徴とするペット用糞処理具。
【請求項２】
前記主体部材に、ペットをつなぐ紐を止める係止部を設けたことを特徴とする請求項１記載のペット用糞処理具。
【発明の詳細な説明】
【０００１】
【発明の属する技術分野】
本発明は、犬などのペットがした糞を手で触れずに処理するためのペット用糞処理具に関する。
【０００２】
【従来の技術】
犬などのペットが散歩の途中でした糞を回収し、自宅に持ち帰って処分するためのペット用糞処理具（以下単に糞処理具という。）が従来からある。
【０００３】
【発明が解決しようとする課題】
しかし、従来の糞処理具は、糞の回収がスムーズに行えない、収容した糞が外部から丸見えで持ち歩くに抵抗がある、などの不具合があって普及率が低迷している。
【０００４】
本発明は上記に鑑みなされたもので、その目的は、糞の回収が簡単に行えるとともに収容した糞が外部から見えることがなく且つそのまま携帯しても糞が飛び出さない糞処理具を提供することにある。また、第二の目的は、ペットをつなぐ紐を持ったままでも楽に糞処理することができる糞処理具を提供することにある。
【０００５】
【課題を解決するための手段】
上記第一の目的を達成するため本発明は、一部に開口を有する容器形態の主体部材と、その主体部材に固着した把手部材と、前記主体部材の開口を塞ぐ蓋部材と、その蓋部材に固着した握り部とからなり、前記蓋部材を主体部材に対して回動自在且つ着脱自在に取り付け、もって分離させた蓋部材をシャベル形態で使用可能となし、さらに主体部材に弾性体を取り付けると共に蓋部材の握り部に作動片を形成し、弾性体を作動片に接触させてその弾性体の押圧力により蓋部材で主体部材の開口を塞ぐようにしたペット用糞処理具を提供する。
【０００６】
上記糞処理具は、状況に応じて、開いた蓋部材を閉じる力で主体部材内に糞を押し込むか、または、主体部材から蓋部材を外して糞をすくい上げその糞を主体部材の中に入れて蓋部材を戻す方法の何れかが選択できる。蓋部材は主体部材の開口を塞ぐ方向に付勢されているから、糞を入れたまま持ち歩いても飛び出さず、また、中の糞が外部から見えない。
【０００７】
また、第二の目的を達成するため、請求項２に記載したように、前記主体部材に、ペットをつなぐ紐を止める係止部を設けた糞処理具を提供する。そうすることにより、ペットをつなぎ止める紐を主体部材の係止部に止め、その状態で主体部材を片方の手で持ち、もう片方の手で蓋部材を持ち、紐を意識することなく両手で簡単に糞処理することができる。
【０００８】
【発明の実施の形態】
以下に本発明の実施の形態を図面を参照しつつ説明する。なお、図１は糞処理具の斜視図、図２は糞処理具の分解斜視図、図３は糞処理具の縦断面図である。
【０００９】
本発明の糞処理具１は、主体部材２と蓋部材３とから概略構成される。主体部材２は、正面に開口２ａを有する容器形態であり、上面に把手部材４を固着してなる。この把手部材４は、主体部材２に取り付く縦フレーム４ａと、その縦フレーム４ａの上端から後ろ向きに突設した横フレーム４ｂと、横フレーム４ｂの後端部に下向きに突設した滑止め部４ｃと、前記蓋部材３を付勢する弾性体５とからなる。把手部材４は、縦フレーム４ａを中空にして前記弾性体５を撓ませる遊び空間４ｄを形成し、また、横フレーム４ｂを上向きコ字状にして上面に鞘空間４ｅを形成する。一方、前記弾性体５は、例えば一端を縦フレーム４ａに固着した板ばねであり、自由端側が縦フレーム４ａの遊び空間４ｄ内で撓む。弾性体５はそれ以外にもコイルばねなどでもよく、その材質や形態は限定されない。なお、実施形態の弾性体５は袋用フック５ａを一体に形成してある。
【００１０】
前記蓋部材３は、主体部材２の開口に合致する形状であり、上部に握り部３ａを固着してなる。蓋部材３は、主体部材２に対向する内側が凹状に窪んだ状態になっており、主体部材２から分離させた状態でシャベル形態となる。
【００１１】
しかして、蓋部材３は主体部材２に対して回動自在且つ着脱自在に取り付けられている。すなわち、蓋部材３の握り部３ａには両側に短い回転軸３ｂが突設されており、その回転軸３ｂが蓋部材３の縦フレーム４ａの軸受孔４ｈに回転可能な状態で嵌合している。また、縦フレーム４ａの軸受孔４ｈには縦フレーム４ａの正面に通じるカーブ溝４ｖが設けられており、そのカーブ溝４ｖを伝って蓋部材３の回転軸３ｂが軸受孔４ｈに出入りする。一方、蓋部材３の握り部３ａには縦フレーム４ａの遊び空間４ｄに臨む作動片３ｃが突設されており、蓋部材３の回転軸３ｂが縦フレーム４ａの軸受孔４ｈに嵌まった状態で作動片３ｃが弾性体５を押圧する。従って、蓋部材３は、その弾性体５によって常時主体部材２の開口を閉じる方向に付勢される。なお、回転軸３ｂは、軸受孔４ｈの奥に向かって押し付けられるため、通常の使用において軸受孔４ｈから抜けるおそれはない。
【００１２】
次ぎに、本発明の糞処理具１の使用方法について説明する。先ず、携帯する状態では、図１，図３のように、主体部材２に蓋部材３が取り付けられており、蓋部材３が弾性体５の付勢により主体部材２の開口２ａを塞ぐ位置で安定している。なお、事前に主体部材２の内部にビニール袋などをセットしておくと後の処理が容易になる。このとき弾性体５の袋用フック５ａにビニール袋の縁を引っ掛けるようにすれば、袋の装着が行いやすく、また、使用時にビニール袋が落下するおそれがない。
【００１３】
次ぎに、糞を回収する場合は、図３二点鎖線のように握り部３ａを横フレーム４ｂの鞘空間４ｅに収めるようにして蓋部材３を回動させ、主体部材２の開口２ａを開く。この状態で主体部材２を滑らせながら糞の横に開口２ａを臨ませる。次ぎに、蓋部材３の握り部３ａから手を離すと弾性体５の付勢で蓋部材３が回動して開口２ａを塞ぎ、同時に糞を主体部材２の中に押し込む。
【００１４】
一方、前記の方法で糞の回収が困難であったり、或いは、糞が軟便であったりする場合は、図１，図３の状態で蓋部材３を上向きに引き上げる。そうすると、蓋部材３の回転軸３ｂがカーブ溝４ｖを通って縦フレーム４ａから外れるから、蓋部材３の握り部３ａを持ってシャベル形態で糞をすくい上げ、その糞を主体部材２に入れる。その後、蓋部材３の回転軸３ｂをカーブ溝４ｖに入れて軸受孔４ｈに収めれば蓋部材３が元の状態に戻る。
【００１５】
なお、上記一連の作業において、ペットをつなぐ紐（鎖やロープなど）は手元の輪になった部分を把手部材４に掛けておく。把手部材４には横フレーム４ｂの後端に滑止め部４ｃがあるから、仮に糞処理中にペットに引っ張られても把手部材４が手から外れない。もちろん、糞処理以外のときにも紐の輪を把手部材４に引っ掛け、把手部材４を持ってペットの紐を引いてもよい。そうすることにより、糞処理具１と紐が一体になるから、片手で紐を持ち、もう片方の手で糞処理具、といった従来のスタイルが一変し、糞処理具を携帯しながら片手を解放することができる。以上の説明で明らかなように、実施形態の把手部材４は、ペットをつなぐ紐の係止部６を兼ねる。
【００１６】
【発明の効果】
本発明の糞処理具は、蓋部材を、主体部材に対して回動自在とし且つ開口を閉じる方向に付勢したから糞の回収が片手で簡単に行える。また、糞の回収が難い場合には蓋部材を外してシャベル形態で使用することができるため、取り残しなく綺麗に糞を回収することができる。そしてさらに、主体部材の開口を蓋部材で塞ぐようにしたから、第一に収容した糞が外部から見えないため持ち歩くに抵抗がなく、第二に糞処理具を強く振っても糞が飛び出さない、などの効果を発揮する。
【００１７】
また、請求項２のように、主体部材にペットをつなぐ紐を止める係止部を設けるようにすれば、片手で主体部材を持ってペットをつなぎ止めながら、もう片方の手で蓋部材を扱うことができ、ペットの紐を意識することなく両手で簡単に糞処理することができる。
【図面の簡単な説明】
【図１】糞処理具の斜視図である。
【図２】糞処理具の分解斜視図である。
【図３】糞処理具の縦断面図である。
【符号の説明】
１    …ペット用糞処理具
２    …主体部材
２ａ  …開口
３    …蓋部材
３ａ  …握り部
３ｃ  …作動片
４    …把手部材
５    …弾性体
６    …係止部
【図１】
0003619641.tif 000002
【図２】
0003619641.tif 000003
【図３】
0003619641.tif 000004